(57)【要約】【課題】構造を簡素化し展開、折畳み動作を円滑化する。【解決手段】寝具を載置する第１の載置３Ａの一端側Ｓ１に第１の支脚部４Ａを設けた第１のベッド枠体５Ａと、寝具を載置する第２の載置枠３Ｂの一端側Ｓ１に第２の支脚部４Ｂを設けた第２のベッド枠体５Ｂとを有し、かつ第１の載置枠３Ａと第２の載置枠３Ｂとの向き合う他端側Ｓ２、Ｓ２を、該第１、第２の載置枠３Ａ、３Ｂが水平に展開される展開状態と、逆Ｖ字状に折り畳んだ収納状態との間で折り畳み展開可能に連結した折畳みベッド１である。第１の載置枠３Ａと第２の載置枠３Ｂとの向き合う他端側Ｓ２、Ｓ２を、ベッド中心線Ｘを含む垂直面に対して直角な１本の水平軸Ｙ回りで折畳み展開可能に連結する。【選択図】  図１
2004147672.tif 000002
【特許請求の範囲】
【請求項１】
寝具を載置する第１の載置枠の一端側に第１の支脚部を設けた第１のベッド枠体と、寝具を載置する第２の載置枠の一端側に第２の支脚部を設けた第２のベッド枠体とを有し、
かつ前記第１の載置枠と第２の載置枠との向き合う他端側を、該第１、第２の載置枠が水平に展開される展開状態と、第１、２の支脚部が近づき前記第１、第２の載置枠を逆Ｖ字状に折り畳んだ収納状態との間で折り畳み展開可能に連結した折畳みベッドであって、
前記第１の載置枠と前記第２の載置枠との向き合う他端側を、ベッド中心線を含む垂直面に対して直角な１本の水平軸回りで折畳み展開可能に連結したことを特徴とする折畳みベッド。
【請求項２】
前記水平軸は、前記収納状態において、第１の載置枠と第２の載置枠とを離間させて平行に配する位置に設けられたことを特徴とする請求項１記載の折畳みベッド。
【請求項３】
前記第１の載置枠は、その他端側に第２の載置枠に向かって斜め下方にのびる第１の連結片が設けられるとともに、
前記第２の載置枠は、その他端側に第１の載置枠に向かって斜め下方にのびる第２の連結片が設けられてなり、
かつこの第１の連結片と第２の連結片とを前記連結したことを特徴とする請求項１又は２記載の折畳みベッド。
【請求項４】
前記第１の連結片又は第２の連結片の一方に、展開状態と収納状態とにおいて、第１の連結片又は第２の連結片の他方と当接し前記展開状態からのさらなる展開及び前記収納状態からのさらなる折畳みを防ぐストッパ部を設けたことを特徴とする請求項３記載の折畳みベッド。
【発明の詳細な説明】
【０００１】
【発明の属する技術分野】
本発明は、水平な展開状態から折畳み可能な折畳みベッドに関する。
【０００２】
【従来の技術及び発明が解決しようとする課題】
図２０には、従来の折畳みベッドの一例を示している。該折畳みベッドａは、ベッドの長さのほぼ半分をなす第１のベッド枠ｂ１と第２のベッド枠ｂ２とを折畳み可能に連結して構成される。第１のベッド枠体ｂ１は、一方の寝具ｍ１の略半分を載置しうる第１の載置枠ｃ１と、この第１の載置枠ｃ１の一端側に設けられた第１の支脚部ｄ１とを含む。同様に、第２のベッド枠体ｂ２は、他方の寝具ｍ２の略半分を載置しうる第２の載置枠ｃ２と、この第２の載置枠ｃ２の一端側に設けられた第２の支脚部ｄ２とを含むものが例示される。
【０００３】
各ベッド枠ｂ１、ｂ２は、向き合う他端側を、中間支脚部ｆを一体に設けた継ぎ部材ｅを介して回動自在に連結して構成されている。具体的には、第１の載置枠ｃ１の他端側はベッド長さ方向と直角な第１の水平軸Ｐ１で、また第２の載置枠ｃ２の他端側は前記第１の水平軸Ｐ１とベッド長さ方向に距離を隔てて配された第２の水平軸Ｐ２でそれぞれ継ぎ部材ｅの両側に連結されている。
【０００４】
またこの形態のベッドａでは、第１のベッド枠体ｂ１において、第１の載置枠ｃ１と第１の支脚部ｄ１とが一体に固着される一方、第２のベッド枠体ｂ２では、第２の載置枠ｃ２と第２の支脚部ｄ２とがピンＰｓで枢結され傾動可能に枢着されている。また本例では各支脚部ｄ１、ｄ２は車輪ｋを具えた移動脚であり、第１、第２の支脚部ｄ１、ｄ２を近づける向きに折り畳むことによって、図２０の仮想線及び図２１示すように折畳みベッドａは逆Ｖ字状に折り畳みできる。
【０００５】
なお折畳みベッドａは重量体であるために、ベッドの重量により常にベッドを水平に展開する力が作用し、展開状態から逆Ｖ字状の収納状態まで持ち上げる折畳み時には大きな力を必要とする。このため、展開状態において、例えば中間支脚部ｆの下端側と、第１、２の載置枠ｃ１、ｃ２の前記一端側との間に、引張バネなどの引張部材ｗをそれぞれ介材させることにより、第１、第２のベッド枠体ｄ１，ｄ２を常時、収納状態へと付勢する引き起こし手段ｇが設けられる。
【０００６】
しかしながら、このようなベッドでは、第１の載置枠ｃ１と第２の載置枠ｃ２とがそれぞれ異なる水平軸Ｐ１、Ｐ２により連結されているため、構造が複雑化しコストの上昇を招くという問題がある。また第１の載置枠ｃ１と、第２の載置枠ｃ２とがそれぞれ異なる水平軸Ｐ１、Ｐ２に枢結されていると、折畳み時の円滑さに欠けるという欠点がある。これは、枢支点が多いと、各枢支点における回転抵抗の差や、引張部材ｗの張力のバラツキなどに起因して折り畳み時ないし展開時に、図２２のように、第１、第２の水平軸Ｐ１、Ｐ２の高さが異なるいびつな変形状態をとることがある。さらに折り畳み時、一方の載置枠を持ち上げる力Ｆが、他方に直接伝わらず大きな操作力が必要となる場合がある。
【０００７】
本発明は、以上のような問題点に鑑み案出なされたもので、第１の載置枠と前記第２の載置枠との向き合う他端側を、ベッド中心線を含む垂直面に対して直角な１本の水平軸回りで折畳み展開可能に連結することを基本として、構造を簡素化できかつ展開、折畳み動作を円滑化するのに役立つ折畳みベッドを提供することを目的としている。
【０００８】
【課題を解決するための手段】
本発明のうち請求項１記載の発明は、寝具を載置する第１の載置枠の一端側に第１の支脚部を設けた第１のベッド枠体と、寝具を載置する第２の載置枠の一端側に第２の支脚部を設けた第２のベッド枠体とを有し、かつ前記第１の載置枠と第２の載置枠との向き合う他端側を、該第１、第２の載置枠が水平に展開される展開状態と、第１、２の支脚部が近づき前記第１、第２の載置枠を逆Ｖ字状に折り畳んだ収納状態との間で折り畳み展開可能に連結した折畳みベッドであって、前記第１の載置枠と前記第２の載置枠の向き合う他端側を、ベッド中心線を含む垂直面に対して直角な１本の水平軸回りで折畳み展開可能に連結したことを特徴としている。
【０００９】
また請求項２記載の発明は、前記水平軸は、前記収納状態において、第１の載置枠と第２の載置枠とを離間させて平行に配する位置に設けられたことを特徴とする請求項１記載の折畳みベッドである。
【００１０】
また請求項３記載の発明は、前記第１の載置枠は、その他端側に第２の載置枠に向かって斜め下方にのびる第１の連結片が設けられるとともに、前記第２の載置枠は、その他端側に第１の載置枠に向かって斜め下方にのびる第２の連結片が設けられてなり、かつこの第１の連結片と第２の連結片とを前記連結したことを特徴とする請求項１又は２記載の折畳みベッドである。
【００１１】
また請求項４記載の発明は、前記第１の連結片又は第２の連結片の一方に、展開状態と収納状態とにおいて、第１又は第２の連結片の他方と当接し前記展開状態からのさらなる展開及び前記収納状態からのさらなる折畳みを防ぐストッパ部を設けたことを特徴とする請求項３記載の折畳みベッドである。
【００１２】
【発明の実施の形態】
以下本発明の実施の一形態を図面に基づき説明する。
図１は本実施形態の折畳みベッド（以下、単に「ベッド」ということがある。）１の全体斜視図、図２はその平面図、図３はその側面図をそれぞれ示している。
【００１３】
図において、本実施形態のベッド１は、第１の載置枠３Ａの一端側Ｓ１に第１の支脚部４Ａを設けた第１のベッド枠体５Ａと、第２の載置枠３Ｂの一端側Ｓ１に第２の支脚部４Ｂを設けた第２のベッド枠体５Ｂとを具えている。また第１の載置枠３Ａと第２の載置枠３Ｂとの向き合う他端側Ｓ２、Ｓ２を、該第１、第２の載置枠３Ａ、３Ｂが水平に展開される展開状態と、第１、２の支脚部４Ａ、４Ｂが近づき前記第１、第２の載置枠３Ａ、３Ｂが逆Ｖ字状に折り畳まれる収納状態（図１２に示す）との間で折り畳み展開可能に連結して構成されている。
【００１４】
第１、２の載置枠３Ａ、３Ｂは、例えば中空のパイプ材を略矩形状ないしコ字状に折り曲げて形成した周囲枠２１と、この周囲枠２１の本例では中央部に固着されかつベッド中心線Ｘ（ベッド幅方向の中心を通りベッド長さ方向にのびる直線であって高さ方向は特に限定されない。）方向にのびる下開放の溝型材からなる補強材２１ａと、周囲枠２１が囲む空所に配された格子状の下張り用のネット材２２とを含むものが例示される。これにより各載置枠３Ａ、３Ｂは、例えば図３に示すように、半長さのマットレス等の各寝具２Ａ、２Ｂをそれぞれ載置できる。
【００１５】
また前記周囲枠２１には、ベッド中心線Ｘを挟んで両側面をなす側枠部２１ｂの前記各一端側Ｓ１に、それぞれ第１、２の支脚部４Ａ，４Ｂが枢着されている。また周囲枠２１の各一端Ｓ１をなす後枠部２１ｃには宮状枠２１ｄが立ち上げられている。
【００１６】
第１、２の支脚部４Ａ，４Ｂは、本例ではそれぞれ図１、図３に示すように、Ｌ字状をなす左右（ベッド中心線Ｘを挟んだ両側を左右と呼ぶことがある）のＬ字枠２４と、ベッド幅方向にのびこの左右のＬ字枠２４を連結固着する継ぎ材２３と、該継ぎ材２３に固着された補助脚２５とを含んで構成されたものを例示する。Ｌ字枠２４は、例えば垂直にのびる支柱部２４ａと、その下端で前記一端側Ｓ１に折れ曲がってのびかつ先端に接地するキャスタＣ１を設けた延長部２４ｂとで構成されている。また補助脚２５は、本例では継ぎ材２３の長さのほぼ中間位置に固着されかつ前記他端側Ｓ２に小長さで折れ曲るＬ字状の補助片２５と、その先端部に設けられた接地可能なキャスタＣ２とを具えている。なお第１、第２の載置枠３Ａ、３Ｂの各補助脚２５は、左右に位置を違えて取り付けられ、収納時の衝合を防止している。またこの補助脚２５は、ベッド１の折り畳み時や展開時において、Ｌ字枠２４の支柱部２４ａと延長部２４ｂとが連なるコーナ部が床面に接触するのを防ぎ、折り畳み展開動作を円滑化するのに役立つ。
【００１７】
またＬ字枠２４の各支柱部２４ａには、図４に示すように、取付金具２８が固着されている。該取付金具２８は、例えば支柱部２４ａの外側面で取り付く上の取付部２６と、内側面かつ下側で取り付く下の取付部２７とを含む。上の取付部２６、下の取付部２７は例えば側面視が略三角状をなし、前記一端側Ｓ１に突出している。ただし、このような形状に限定されるものではない。そして、上の取付部２６と、周囲枠２１の左右の側枠部２１ｂとを枢結ピンＰｓを用いて傾動可能に枢着している。なお下の取付部２７には、透孔３７ａが形成されている。これについては後述する。
【００１８】
また本実施形態では、図５、図６に示すように、第１の載置枠３Ａには、その他端側Ｓ２かつベッド幅方向の両側に第２の載置枠３Ｂに向かって斜め下方に小長さでのびる第１の連結片Ｒ１が設けられる。該第１の連結片Ｒ１は、図６、図７に示すように、前記垂直面に沿ってのびる板状をなし、その下端側にはベッド幅方向に軸中心線を持つ円形の透孔４１が開口されている。
【００１９】
また第２の載置枠３Ｂは、その他端側Ｓ２に第１の載置枠３Ａに向かって斜め下方に小長さでのびる第２の連結片Ｒ２が設けられる。本例の第２の連結片Ｒ２は、ベッド幅方向内側に配された内の第２の連結片Ｒ２ｉと、この内の第２の連結片Ｒ２ｉとの間に間隙Ｅを設けてベッド幅方向外側に配された外の第２の連結片Ｒ２ｏとを一体に具えるものが例示される。内、外の第２の連結片Ｒ２ｉ、Ｒ２ｏは、いずれも前記垂直面に沿ってのびる板状をなし、その下端側にはベッド幅方向にのびる軸中心線を持つ円形の透孔４２、４２が開口される。なお内、外の第２の連結片Ｒ２ｉ、Ｒ２ｏの前記間隙Ｅは、例えば第１の連結片Ｒ１の厚さよりも僅かに大きく設定される。
【００２０】
本実施形態では、第１の連結片Ｒ１を、内の第２の連結片Ｒ２ｉと外の第２の連結片Ｒ２ｏとの間の前記間隙Ｅに挿入する。そして、各連結片の透孔４１、４２の軸中心線を揃えかつワッシャ等を介してピン４４でこれらを回動可能に枢結している。これにより、第１の連結片Ｒ１と第２の連結片Ｒ２とは、ベッド中心線Ｘを含む垂直面に対して直角な１本の水平軸Ｙ（この例では、水平軸Ｙは、ピン４４の軸中心線を通る水平軸である。）の回りで折畳み展開可能に連結することができる。
【００２１】
また図８（Ａ）に示すように、本例の第２の連結片（内、外の第２の連結片）Ｒ２は、その外周面が、前記水平軸Ｙと同心の半円弧面からなる先端円弧面ｆａと、この先端円弧面部ｆａの両端に上、下（この上、下は、展開状態での上、下とする。）で連なりかつ互いに平行かつ斜めにのびる平面からなる上、下の平面部ｆｂ、ｆｃとで構成されている。
【００２２】
また第１の連結片Ｒ１のベッド幅方向の内、外の少なくとも一方、本例では両側に、ストッパ部Ｔが設けられている。このストッパ部Ｔは、図８（Ａ）の如く、展開状態において第２の連結片Ｒ２の上の平面部ｆｂと平行に向き合いかつ当接するとともに、図９に示すように、収納状態で第２の連結片Ｒ２の下の平面部ｆｃと平行に向き合いかつ当接する当たり面ｆｅを持っている。
【００２３】
これにより、第１、第２の載置枠３Ａ、３Ｂが水平となった展開状態では、第２の連結片Ｒ２の上の平面部ｆｂと当たり面ｆｅとが当接し、これ以上の展開動作を不能としうる。これにより、展開状態の姿勢を位置決め固定できる。同様に、図９に示すように、例えば第１、第２の載置枠３Ａ、３Ｂを実質的に垂直とした収納状態では、第２の連結片Ｒ２の下の平面部ｆｃと当たり面ｆｅとが当接し、これ以上の折畳み動作を不能としうる。これにより、収納状態の姿勢を位置決め固定できる。このような折畳みベッド１は、展開及び収納状態の姿勢を拘束し、ベッド１の姿勢を安定化しうるなど、より一層使い勝手を向上しうる。
【００２４】
また例えば図１０に示すように、第１、第２の載置枠３Ａ、３Ｂが、展開状態及び収納状態のいずれでもない状態では、前記ストッパ部Ｔの当たり面ｆｅは、第２の連結片Ｒ２の先端円弧面ｆａと接しながらこの先端円弧面ｆａの回り移動しうる。これは、第１、第２の連結片Ｒ１、Ｒ２の透孔４１、４２とピン４４とのガタツキに伴う連結片の該ピン４４の径方向移動量を制限しつつ折畳み展開動作をガイドすることとなり、前記動作を円滑化しうる。また連結片Ｒ１、Ｒ２を枢支しているピン４４へのせん断力を軽減するなど耐久性の向上にも役立つ。また当たり面ｆｅが先端円弧面ｆａと実質的に接しながら移動するため、第１、第２の連結片Ｒ１、Ｒ２間に大きな隙間が形成されるのを防ぐ。これは、例えばカバーなどを取り付けなくても、展開、収納操作時に第１、第２の連結片Ｒ１、Ｒ２間に手指を挟むといった事故を未然に防止するのに役立つ。
【００２５】
なお前記第１、第２の連結片Ｒ１、Ｒ２は、図６に分解して示すように、例えば射出成形などによって一体に成形された樹脂成形品４６からなり、周囲枠２１を構成するパイプ材２１Ａの端面の開口部に差し込まれかつネジ等の固着手段により固着できる。このように連結片Ｒ１、Ｒ２を樹脂成形品４６で構成したときには、軽量化やコストの低減などを図りうる点で好ましいものとなる。ただし、連結片Ｒ１、Ｒ２は、周囲枠２１と予めに一体に形成されるものでも良く、また金属材料で構成し前記周囲枠２１に溶接等により固着されても良いなど、種々の態様で実施できるのは言うまでもない。
【００２６】
また本例では、図２、図５に示すように、ベッド幅方向の両側の第１、第２の連結片Ｒ１、Ｒ２の間には結合板３０が固着される。例えば前記ピン４４を、平滑な円柱状表面をなすピン部４４ａとその下端側に形成されたネジ軸部４４ｂとで構成し、このネジ軸部４４ｂを前記結合板３０の端面に設けたネジ孔４５に螺着している。このような結合板３０は、第１の載置枠３Ａと第２の載置枠３Ｂとの枢結部の剛性を高めるのに役立つ。また結合板３０には、下方に垂下し展開時に床面に接地しうる中間支脚部７が固着されたものを例示している。
【００２７】
中間支脚部７は、図１に示すように、両側に配された支柱部３２，３２と、この間を中央で上に凸で湾曲する隆起部３３を有して継ぐ脚台枠部３４とで構成される。さらに本形態では、図５に示すように、中間支脚部７の支柱部３２には、取付金具３６が固着される。該取付金具３６は、支柱部３２に固着された板状をなすとともに、支柱部３２の両側でそれぞれ開口する透孔３７ｂ、３７ｂが形成される。
【００２８】
そして、図３に示すように、第１のベッド枠５Ａ側において、取付金具３６の透孔３７ｂには、第１のリンク片１９Ａの一端が連結され、その他端は第１の支脚部４Ａに取り付く下の取付部２７の透孔３７ａに連結される。同様に、第２のベッド枠５Ｂ側において、透孔３７ｂには、第２のリンク片１９Ｂの一端が連結され、その他端は第２の支脚部４Ｂの下の取付部２７の透孔３７ａに連結される。
【００２９】
これにより、図３、図１１に示すように、第１のベッド枠５Ａにおいて、第１の支脚部４Ａと、第１の載置枠３Ａと、前記中間支脚部７と、第１のリンク片１９Ａとで平行クランク機構Ｋａが形成される。同様に、第２のベッド枠５Ｂにおいて、第２の支脚部４Ｂと、第２の載置枠３Ｂと、前記中間支脚部７と、第２のリンク片１９Ｂとで平行クランク機構Ｋｂが形成される。このような、ベッド１は、例えば中間支脚部７、支脚部４の支柱部２４ａの向きを垂直に保持しつつ展開状態から収納状態まで折畳みできる。なお、第１、第２の載置枠３Ａ又は３Ｂの一方の載置枠にのみにこのような平行クランク機構を設けるものでも良い。
【００３０】
また本例のベッド１は、展開状態から収納状態への折畳みを容易とする引き起こし手段９を具える。引き起こし手段９は、種々の方法で実現でき、例えば前記平行クランク機構において、中間支脚部７と第１の載置枠３Ａ（又は第２の載置枠３Ｂ）とのなす角度α（図３に示す）を減じる向きに付勢するバネ、ゴムなどの付勢手段が用いられる。
【００３１】
本例の引き起し手段９は、第１の載置枠３Ａ及び第２の載置枠３Ｂに、中間支脚部７から前記一端側Ｓ１に離れた位置に設けられた滑車１１、１１と、この滑車１１でガイドされる引張部材１２とで構成されたものが例示される。
【００３２】
前記滑車１１は、例えば図１３（Ａ）に示すように、各載置枠３Ａ、３Ｂに設けられた補強材２１ａの下面に固定された軸受け金具４０で枢支される。このため、滑車１１は、ベッド１の側面から視認され難い。また引張部材１２は、例えば図１、図３に示すように、一端が中間支脚部７に取付けられかつ前記滑車１１に案内されるひも状体１３と、このひも状体１３を引っ張るコイルバネ（ゴム体など他の弾性材も利用できる）などの弾性材１４とからなる。ひも状体１３は、中間支脚部７の前記隆起部３３に一端が固定されかつ前記滑車１１の上面に巻掛される。ひも状体１３の他端には、本例ではコイルバネからなる弾性材１４を介して載置枠３の適所に固定される。ひも状体１３は、例えば図１４に示すように、前記隆起部３３を貫通してその上下でナット止めされるアイボルト状の取付け金具１５で固定ボルト１６により固定される。
【００３３】
滑車１１は、ひも状体１３の一端を、隆起部３３に取付けることにより、該ひも状体１２の垂直に対してなす角度θ（図３に示す）が、展開状態におけるベッド側面視で３０〜６０゜、好ましくは４０〜５５゜程度としている。またひも状体１３は滑車１１を一端側Ｓ１に過ぎた位置で前記弾性材１４と結合される。なお、ひも状体１３及び弾性材１４は図１３（Ｂ）に示すように補強材２１ａの溝部内を通ることにより、外部から目隠しでき見映えの悪化を防止し得る。
【００３４】
このような引き起こし手段９は、ベッド１の折畳みが進むにつれて、収納状態への付勢力が増加するため、軽微な力で折り畳みできる点で特に好ましい。また引き起こし手段９は、本例の第１、第２の載置枠３Ａ、３Ｂの双方に設ける場合の他、一方側にのみ設けることもできる。また、第１、第２の載置枠３Ａ，３Ｂの一方のみが平行クランク機構をなす場合には、その機構を有する側に引き起こし手段９を配置するのが良い。
【００３５】
このような折畳みベッド１は、図１〜３に示す展開状態から、図１１の折畳み途中を経て図１２に示す状態まで折り畳むことができる。また第１、第２の載置枠３Ａ、３Ｂは、ともに同じ水平軸Ｙ回りで折畳み展開可能に枢結されているため、従来のように平行な２つの水平軸で枢結する場合に比して構造を簡素化できる。また第１、第２の載置枠３Ａ、３Ｂが同じ水平軸Ｙの回りで傾動するため、枢支点（枢支軸）を従来に比して一つ減らしうる。このため、展開、折畳み動作をより円滑化しうる。
【００３６】
前記水平軸Ｙの位置は、特に限定はされないが、好ましくは図１２に示す収納状態において、第１の載置枠３Ａと第２の載置枠３Ｂとを離間させて平行に配する位置に設けるのが望ましい。本実施形態では、図８（Ａ）に示す如く、展開状態において、基準面から前記水平軸Ｙの高さｈｂを、第１、第２の載置枠３Ａ、３Ｂの下面の高さｈａよりも低い位置に設けることによって、上述のような収納状態を可能としている。また収納状態において、第１の載置枠３Ａと第２の載置枠３Ｂとの間の間隙Ｇは、第１、第２の支脚部４Ａ、４Ｂの各支柱部２４ａを収容可能な幅Ｗを持っている。従って、支脚部４を収容しつつコンパクトに折畳みできる。なお前記幅Ｗは、前記水平軸Ｙの高さｈｂを調節することによって適宜設定しうる。
【００３７】
以上本発明の実施形態について説明したが、本発明は上記実施形態に限定されるものではなく、例えば図１５に示すようにクランク状のもの、図１６に示すように円弧状をなすもの、さらには、図１７に示すように、水平軸Ｙを第１、第２の載置枠３Ａ、３Ｂの中心高さに等しく設定したものなど、種々の形態で実施しうるのは言うまでもない。また本発明は、図１８、図１９に示すような支脚部４、引き起こし手段９を有するタイプの折畳みベッドにおいても採用できる。また図２０、２１に示すように、第１、第２の連結片Ｒ１、Ｒ２を、第１、第２の載置枠２１の側枠部２１ｂの外側面よりもベッド中心線Ｘ側に設けることができる。ベッド１を折畳みないし展開する際には、使用者は第１、第２の載置枠の側枠部２１ｂ近傍に手指を位置させる。従って、本例のように、連結片Ｒ１、Ｒ２を側枠部２１ｂよりもベッド内方へと寄せて配したときには、ベッド１の枢結部分に空所Ｏを形成でき、手指と第１、第２の連結片Ｒ１、Ｒ２とを遠ざけることができるため、より一層、手指との干渉を防止するのに役立つ。このような観点より、前記側枠部２１ｂの外側面から連結片Ｒ１ないしＲ２の外側面までのベッド幅方向距離ｉは例えば５ｃｍ以上、より好ましくは７ｃｍ以上、さらに好ましくは１０〜２０ｃｍ程度とするのが望ましい。
【００３８】
【発明の効果】
以上説明したように、本発明は、第１、第２の載置枠を水平な展開状態と逆Ｖ字状に折り畳んだ収納状態との間で折り畳み展開可能に連結した折畳みベッドにおいて、第１の載置枠と第２の載置枠との向き合う他端側を、ベッド中心線を含む垂直面に対して直角な１本の水平軸回りで折畳み展開可能に連結したことにより、構造を簡素化してコストを低減できる。しかも折畳みベッドの展開、折畳み動作に際して、第１、第２の載置枠が同じ水平軸回りで傾動するため、枢支点を減らすことができ、展開、折畳み動作を従来に比して円滑化しうる。
【００３９】
また請求項２記載の発明のように、前記水平軸は、前記収納状態において、第１の載置枠と第２の載置枠とを離間させて平行に配する位置に設けたときには、この第１、第２の載置枠の間隙に支脚部などを収容しうるなど、使い勝手をさらに向上しうる。
【００４０】
また請求項３記載の発明のように、第１の載置枠は、その他端側に第２の載置枠に向かって斜め下方にのびる第１の連結片が設けられるとともに、前記第２の載置枠は、その他端側に第１の載置枠に向かって斜め下方にのびる第２の連結片が設けられてなり、かつこの第１の連結片と第２の連結片とを前記水平軸回りで連結することにより、簡単な構成で請求項２の収納状態を実現できる。
【００４１】
また請求項４記載の発明のように、第１の連結片と第２の連結片とは、ベッド幅方向に並べて連結されるとともに、第１又は第２の連結片の一方に、展開状態と収納状態とにおいて、第１又は第２の連結片の他方と当接し前記展開状態からのさらなる展開及び前記収納状態からのさらなる折畳みを防ぐストッパ部を設けたときには、展開状態及び収納状態で姿勢を安定化でき、より一層使い勝手を向上しうる。
【図面の簡単な説明】
【図１】本発明の一実施形態を例示するベッドの全体斜視図である。
【図２】その平面図である。
【図３】その側面図である。
【図４】載置枠と支脚部との取付け状態を例示する部分斜視図である。
【図５】第１、第２の載置枠の枢着状態などを例示する部分斜視図である。
【図６】その分解斜視図である。
【図７】第１の連結片の部分斜視図である。
【図８】（Ａ）は展開状態での第１、第２の連結片の枢着状態を示す側面図、（Ｂ）はその平面図である。
【図９】収納状態での第１、第２の連結片の枢着状態を示す側面図である。
【図１０】展開状態及び収納状態以外の状態での第１、第２の連結片の枢着状態を示す側面図である。
【図１１】折畳み途中の状態を示すベッドの側面図である。
【図１２】収納状態のベッドの側面図である。
【図１３】（ａ）は滑車の取付け状態を例示する断面図、（ｂ）は補強材を通る弾性材を例示する断面図である。
【図１４】ひも状体の取付け状態を例示する断面図である。
【図１５】本発明の他の実施形態を示し、（Ａ）は展開状態での第１、第２の連結片の枢着状態を示す側面図、（Ｂ）はその平面図である。
【図１６】本発明の他の実施形態を示し、展開状態での第１、第２の連結片の枢着状態を示す側面図である。
【図１７】本発明の他の実施形態を示し、展開状態での第１、第２の連結片の枢着状態を示す側面図である。
【図１８】他のベッドの実施形態を例示する展開状態の側面図である。
【図１９】その収納状態を示す側面図である。
【図２０】本発明の他の実施形態を例示するベッドの全体平面図である。
【図２１】その第１、第２の載置枠の枢着状態などを例示する部分斜視図である。
【図２２】従来の折畳みベッドの展開状態を示す側面図である。
【図２３】その収納状態を示す側面図である。
【図２４】その折畳み途中の側面図である。
【符号の説明】
１  折畳みベッド
２Ａ、２Ｂ  寝具
３  載置枠
３Ａ  第１の載置枠
３Ｂ  第２の載置枠
４  支脚部
４Ａ  第１の支脚部
４Ｂ  第２の支脚部
５Ａ  第１のベッド枠体
５Ｂ  第２のベッド枠体
Ｒ１  第１の連結片
Ｒ２  第２の連結片
Ｔ  ストッパ部
ｆａ  当たり面
Ｘ  ベッド中心線
Ｙ  水平軸
【図１】
2004147672.tif 000003
【図２】
2004147672.tif 000004
【図３】
2004147672.tif 000005
【図４】
2004147672.tif 000006
【図５】
2004147672.tif 000007
【図６】
2004147672.tif 000008
【図７】
2004147672.tif 000009
【図８】
2004147672.tif 000010
【図９】
2004147672.tif 000011
【図１０】
2004147672.tif 000012
【図１１】
2004147672.tif 000013
【図１２】
2004147672.tif 000014
【図１３】
2004147672.tif 000015
【図１４】
2004147672.tif 000016
【図１５】
2004147672.tif 000017
【図１６】
2004147672.tif 000018
【図１７】
2004147672.tif 000019
【図１８】
2004147672.tif 000020
【図１９】
2004147672.tif 000021
【図２０】
2004147672.tif 000022
【図２１】
2004147672.tif 000023
【図２２】
2004147672.tif 000024
【図２３】
2004147672.tif 000025
【図２４】
2004147672.tif 000026